(57)【要約】【課題】  構成が単純で、より優れた音響特性を有し、生楽器の演奏音に近い自然な音を放音することができるスピーカを提供する。【解決手段】  本発明によるスピーカは、振動板取付け部９と、木材によって構成され、張りを付与された状態で、振動板取付け部９に取り付けられた振動板８と、振動板８に設けられ、振動板８を振動させることによって音を放音させる振動子１１と、を備えている。振動板８の張りは、例えば、この振動板８を押圧するように設けられた押圧部１０によって付与される。【選択図】  図３
2005347964.tif 000002
【特許請求の範囲】
【請求項１】
振動板取付け部と、
木材によって構成され、張りを付与された状態で、前記振動板取付け部に取り付けられた振動板と、
前記振動板に設けられ、当該振動板を振動させることによって音を放音させる振動子と、
を備えていることを特徴とするスピーカ。
【請求項２】
前記振動板に前記張りを付与するために、前記振動板を押圧するように設けられた押圧部をさらに備えていることを特徴とする請求項１に記載のスピーカ。
【請求項３】
前記振動板は、互いに独立した複数の前記振動板によって構成され、
前記振動子は、前記複数の振動板にそれぞれ設けられていることを特徴とする請求項１または２に記載のスピーカ。
【請求項４】
電子楽器に内蔵され、当該電子楽器の演奏に伴い、演奏音を放音することを特徴とする請求項１ないし３のいずれかに記載のスピーカ。
【請求項５】
前記電子楽器は、複数の鍵を有する電子鍵盤楽器であり、
前記振動板は、前記電子鍵盤楽器の前記複数の鍵の低音域と高音域の間に延びるように配置されるとともに、前記低音域と高音域の間で、互いに異なる振動特性を有することを特徴とする請求項４に記載のスピーカ。
【請求項６】
独立したスピーカユニット、または音声再生装置に内蔵され、音を放音することを特徴とする請求項１ないし３のいずれかに記載のスピーカ。
【発明の詳細な説明】
【技術分野】
【０００１】
本発明は、独立したスピーカユニットや電子楽器などに用いられ、音を放音するスピーカに関する。
【背景技術】
【０００２】
従来の一般的なスピーカは、その振動板を振動させることによって、音を放音する。振動板としては、加えられた振動がその内部を伝播する際、伝播速度が大きく且つ適度な内部損失があることが望ましい。振動板がこのような振動特性を有している場合には、通常、聴取者は、スピーカから放音される音を、より自然で違和感のないものとして認識する。このような振動特性を有する材質として、木材が最適であるとされており、振動板に木材を利用したスピーカとして、例えば特許文献１に開示されたものが知られている。
【０００３】
特許文献１には、スピーカシステムが開示されており、このスピーカシステムは、ボックス状のエンクロージャと、その内部に配置された円形コーンスピーカによって構成されている。円形コーンスピーカは、通常のコーン形スピーカと同様、円錐台形状の外側振動板と、その内周部に装着された内側振動板と、これらを振動させるための電磁式のアクチュエータなどを有している。また、この特許文献１では、両振動板は、木材薄板によって構成されており、前述したように優れた振動特性を有していることにより、この円形コーンスピーカから放音される演奏音の音色を、生楽器の演奏音の音色に近づけることができる。
【０００４】
上述した特許文献１のスピーカシステムには、以下のような問題がある。すなわち、円形コーンスピーカは、既存のコーン形スピーカで響板として用いられるクラフト紙を木材で置換したものであり、他の構成は、基本的には通常のコーン形スピーカを踏襲している。したがって、スピーカの中心から半径方向外方への振動の伝播速度が、すべての方向で等しいため、振動板に定在波が発生したり、エンクロージャとの間に共振現象が発生したりすることにより、スピーカシステムの音響特性に悪影響を与え、聴取者が、放音された音に違和感を感じるおそれがある。
【０００５】
本発明は、以上のような課題を解決するためになされたものであり、構成が単純で、より優れた音響特性を有し、生楽器の演奏音に近い自然な音を放音することができるスピーカを提供することを目的としている。
【０００６】
【特許文献１】特開平６−１７８３８６号公報  （第３，４頁、第３図）
【発明の開示】
【課題を解決するための手段】
【０００７】
この目的を達成するために、本発明の請求項１に係る発明は、振動板取付け部と、木材によって構成され、張りを付与された状態で、振動板取付け部に取り付けられた振動板と、振動板に設けられ、振動板を振動させることによって音を放音させる振動子と、を備えていることを特徴とする。
【０００８】
このスピーカによれば、振動板取付け部には、木材によって構成された振動板が、張りを付与された状態で取り付けられている。また、この振動板には、これを振動させることによって、音を発生させる振動子が設けられている。このような構成のスピーカによれば、振動板が、前述したように優れた振動特性を有する木材で構成されていることにより、自然で違和感のない音を放音することができる。
【０００９】
また、振動板は、もともと優れた振動特性を有する木材で構成されていることに加え、張りを与えられていることにより、振動子によって効率的に振動させられる。したがって、スピーカからは、めり張りのある大きな音を放音することができる。また、このスピーカは、上述したように構成が非常に単純であるため、放音する音にノイズが混入し難く、優れた音響特性を得ることができるとともに、メンテナンスを容易に行うことができる。
【００１０】
本発明の請求項２に係る発明は、請求項１に記載のスピーカにおいて、振動板に張りを付与するために、振動板を押圧するように設けられた押圧部をさらに備えていることを特徴とする。
【００１１】
このスピーカによれば、振動板が、押圧部によって押圧されることにより、常時、張りを付与された状態に確実に維持される。したがって、前述した請求項１に係るスピーカと同様の効果を、確実に得ることができる。
【００１２】
本発明の請求項３に係る発明は、請求項１または２に記載のスピーカにおいて、振動板は、互いに独立した複数の振動板によって構成され、振動子は、複数の振動板にそれぞれ設けられていることを特徴とする。
【００１３】
このスピーカは、互いに独立した複数の振動板を有しており、これらの振動板にそれぞれ設けられた振動子によって、各振動板が独立して振動することにより、音が発生する。すなわち、複数の振動板が設けられていることにより、例えば、振動板ごとに互いに異なる周波数特性を設定することができ、それにより、放音させるべき音に応じて、その音に適した周波数特性を有する振動板を選択的に振動させたり、複数の振動板を同時に振動させたりすることによって、低音域から高音域の音をバランスよく放音することができる。
【００１４】
本発明の請求項４に係る発明は、請求項１ないし３のいずれかに記載のスピーカにおいて、電子楽器に内蔵され、電子楽器の演奏に伴い、演奏音を放音することを特徴とする。
【００１５】
このスピーカは、電子楽器に内蔵された状態で用いられ、電子楽器の演奏に伴い、その演奏音を放音する。前述したように、このスピーカは非常に単純な構成を有していることにより、そのサイズや形状にある程度の自由度を有している。したがって、比較的、容易に電子楽器に組み込むことができる。また、このスピーカが優れた音響特性を有していることにより、例えば、このスピーカを電子ピアノに内蔵した場合には、その演奏音を、アコースティックなピアノの演奏音により近づけることができるなど、生楽器の演奏音により近い演奏音を有する電子楽器を得ることができる。
【００１６】
本発明の請求項５に係る発明は、請求項４に記載のスピーカにおいて、電子楽器は、複数の鍵を有する電子鍵盤楽器であり、振動板は、電子鍵盤楽器の複数の鍵の低音域と高音域の間に延びるように配置されるとともに、低音域と高音域の間で、互いに異なる振動特性を有することを特徴とする。
【００１７】
このスピーカは、電子鍵盤楽器に内蔵されており、その振動板は、電子鍵盤楽器の鍵盤の低音域と高音域の間に延びるように配置されている。また、振動板の低音域側と高音域側とは、互いに異なる振動特性を有している。このような構成によれば、押鍵した鍵の音域に応じて、振動板の低音域側と高音域側のいずれかを振動させたり、双方を振動させたりすることなどにより、振動板から放音される音の周波数成分を変化させ、それにより、特定の音域の演奏音を強調するなど、演奏音を変化させることができる。
【００１８】
本発明の請求項６に係る発明は、請求項１ないし３のいずれかに記載のスピーカにおいて、独立したスピーカユニット、または音声再生装置に内蔵され、音を放音することを特徴とする。
【００１９】
このスピーカは、独立したスピーカユニットに内蔵され、様々な機器に接続された状態で、または、音声再生装置に内蔵された状態で、音を放音する。前述したように、このスピーカは、サイズや形状にある程度の自由度を有しているため、独立した単体のスピーカとしてはもちろん、様々な装置に内蔵して使用することができる。
【発明を実施するための最良の形態】
【００２０】
以下、図面を参照しながら、本発明の好ましい実施形態を説明する。図１〜３は、本発明の第１実施形態によるスピーカ１を含むスピーカユニット２を示している。このスピーカユニット２は、電子楽器やオーディオ機器（ともに図示せず）などの音声再生装置に接続した状態で使用される独立タイプのものであり、スピーカ１と、これを内部に収容したケース３などによって構成されている。
【００２１】
ケース３は、縦長で前方に開放したボックス状に構成されており、左右の側板４，４、天板５、底板６、および背板７などを有している。また、スピーカ１は、振動板８と、この振動板８を取り付けるための上下２つの振動板取付け部９，９と、振動板８に後述する擬似ムクリを付与するための振動板支持棒１０（押圧部）と、振動板８を振動させることにより、音を放音させるための例えば２つの電磁式アクチュエータ１１，１１（振動子）などによって構成されている。
【００２２】
振動板取付け部９，９は、ケース３の天板５および底板６の内面の前端部に、それぞれ固定されている。各振動板取付け部９は、断面矩形の棒状に形成されており、左右方向に延びている。また、振動板８は、例えば、シトカスプルース、エゾマツ、ドイツトウヒ、スイスパインや、マホガニーなどの天然木材の単板で構成されている。また、振動板８は、縦長の方形に形成され、所定の厚さを有しており、例えば、高さ５００〜１５００ｍｍ、幅５０〜５００ｍｍ、厚さ４〜１０ｍｍの範囲のサイズを有している。このような振動板８は、その上端部および下端部において、上下の振動板取付け部９，９の前面に取り付けられており、それにより、振動板８がケース３の開口に嵌め込まれ、外観上、この開口をほぼ覆った状態になっている。
【００２３】
振動板支持棒１０は、振動板８の後方かつ上下方向の中央に配置され、左右の側板４，４の間にわたって延びており、左右の端部において、例えば外方から左右の側板４，４を介してそれぞれねじ込まれたねじ（図示せず）によって、側板４，４に固定されている。図３に示すように、この振動板支持棒１０は、前面が凸状の曲面形状を有しており、このような前面が、振動板８の後面を押圧するように配置されている。振動板８は、振動板支持棒１０による押圧によって前方に撓んでおり、中央付近の撓み量は、押圧がない場合の平面状態に対して、例えば１〜１０ｍｍ程度である。それにより、振動板８全体が、グランドピアノの響板に形成されるムクリに近似した前方にわずかに凸の曲面形状に形成されており、このような振動板８の擬似ムクリによって、振動板８に張力が常時、作用した（張りが付与された）状態になっている。この場合の振動板８の張力は、振動板支持棒１０と振動板取付け部９，９の前後方向の相対的な位置関係に応じて決定される。
【００２４】
なお、振動板支持棒１０に代えて、図４に示すように、変形例による振動板支持棒１２（押圧部）を用いてもよい。この振動板支持棒１２も、振動板８の上下方向の中央に配置されており、左右の側板４，４の間にわたって延びる支持棒本体１３と、この支持棒本体１３に左右方向（同図の奥行方向）に並ぶように形成された複数の凹部１３ａ（１つのみ図示）と、各凹部１３ａに収容され、前方に突出する複数のばね１４（１つのみ図示）を有している。このような振動板支持棒１２によれば、振動板８は、複数のばね１４によって前方に付勢され、それにより、振動板支持棒１０の場合と同様、振動板８に擬似ムクリが生じ、全体に張力が作用した状態に維持される。
【００２５】
前述したように、振動板８によってケース３の開口が覆われていることにより、振動板８の仕上げが、スピーカユニット２の外観に大きな影響を及ぼす。したがって、振動板８の前面には、例えば塗装などによって、化粧仕上げが施されている。また、振動板８に化粧仕上げを施さない場合には、必要に応じて、例えばサランネット１５によってスピーカユニット２の前部を覆うことにより、その外観が整えられる（図３参照）。
【００２６】
電磁式アクチュエータ（以下、単に「アクチュエータ」という）１１，１１は、振動板８の後面に取り付けられている。各アクチュエータ１１は、周知の構成のものであり、例えば、インピーダンス８Ω、定格入力２０Ｗ、直径が約９０ｍｍのものである。このようなアクチュエータ１１を取り付ける場合、振動板８の長さ方向の端から、その長さの１／６〜１／３程度の位置に配置するのが、音響上、好ましいことが確認されている。このため、本実施形態では、アクチュエータ１１，１１は、振動板８の上端および下端から、その高さの１／６の位置にそれぞれ配置されている。また、このようなアクチュエータ１１，１１は、スピーカユニット２に接続された電子楽器などによって生成された信号が入力されることにより駆動され、その信号に応じて振動板８を振動させる。それにより、信号に応じた音が振動板８から放音される。
【００２７】
図５のａは、上述したスピーカ１のアクチュエータ１１の周波数特性を、同図のｂは、振動板８の周波数特性を、それぞれ示している。これによれば、振動板８およびアクチュエータ１１の周波数特性は、一般に人の耳の可聴範囲の下限とされている２０Ｈｚ付近よりも高い周波数域において、特によく近似している。すなわち、このスピーカ１では、アクチュエータ１１に入力された信号が音に変換される過程において、周波数特性がほぼ劣化せず、入力された信号が表す放音すべき音をほぼ忠実に再現することができる。
【００２８】
以上のようなスピーカユニット２によれば、振動板８が、優れた振動特性を有する天然木材で構成されていることにより、自然で違和感のない音を放音することができる。また、振動板８が、木材で構成されていることに加え、振動板支持棒１０によって押圧されていることにより、振動板８に擬似ムクリが形成され、常時、張りのある状態に確実に維持される。それにより、振動板８は、アクチュエータ１１，１１によって効率的に振動させられる。したがって、スピーカ１から、めり張りのある大きな音を放音することができる。また、このスピーカ１は、上述したように構成が非常に単純であるため、放音する音にノイズが混入し難く、優れた音響特性を得ることができる。また、同じ理由により、メンテナンスを容易に行うことができる。
【００２９】
図６および７は、本発明の第２実施形態によるスピーカユニット２０を示している。このスピーカユニット２０は、前述した第１実施形態によるスピーカユニット２と近似した構成を有しており、スピーカ１に代えて、後述するスピーカ２１を内蔵している。以下、同じ構成要素については、スピーカユニット２と同じ符号を付し、スピーカユニット２との相違点を中心として説明する。
【００３０】
このスピーカユニット２０のケース３は、前述したスピーカユニット２のケース３と同じ構成のものであり、その内部には、仕切り板２２が設けられている。この仕切り板２２は、天板５と底板６の間の天板５寄りに配置されており、これにより、ケース３の内部空間が、上下２つの空間に区画されている。スピーカ２１は、上部スピーカ２１ａおよび下部スピーカ２１ｂによって構成されており、これらは、ケース３内の上下の空間にそれぞれ配置されている。
【００３１】
上部スピーカ２１ａおよび下部スピーカ２１ｂは、互いにほぼ同じ構成を有しており、高音域用および低音域用の振動板２３ａ，２３ｂをそれぞれ有している。振動板２３ａ，２３ｂは、ともに第１実施形態のスピーカ１の振動板８と同じ材質で構成されており、上側の振動板２３ａは、下側の振動板２３ｂよりも短く且つ薄く形成され、それにより、両者２３ａ，２３ｂは、互いに異なる周波数特性を有している。すなわち、上側の高音域用の振動板２３ａは主に高音域の音を、下側の低音域用の振動板２３ｂは主に低音域の音を、それぞれ放音するためのものである。
【００３２】
また、仕切り板２２には、これを間に挟むように上下２つの振動板取付け部９，９が固定されており、天板５および底板６の内面にも、振動板取付け部９がそれぞれ固定されている。両振動板２３ａ，２３ｂは、上下の空間の各振動板取付け部９，９にそれぞれ取り付けられている。それにより、両振動板２３ａ，２３ｂによって、ケース３の上下の開口がほぼ覆われた状態になっている。なお、図示しないが、前述したスピーカ１の振動板支持棒１０と同様に、両振動版２３ａ，２３ｂの後方には、これらを押圧する振動板支持棒が設けられており、それにより、振動板２３ａ，２３ｂには、擬似ムクリが形成されている。
【００３３】
また、アクチュエータ１１，１１は、振動板２３ａ，２３ｂの後面にそれぞれ取り付けられている。具体的には、アクチュエータ１１，１１は、前述した第１実施形態の場合と同じ理由から、振動板２３ａの上端および振動板２３ｂの下端から、各々の高さの１／６の位置に、それぞれ配置されている。また、スピーカユニット２と同様に、振動板２３ａ，２３ｂに化粧仕上げを施さない場合など、必要に応じて、例えばサランネット１５によって、スピーカユニット２０の前部を覆うことにより、スピーカユニット２０の外観が整えられる（図７参照）。
【００３４】
以上のようなスピーカユニット２２によれば、スピーカ２１が、互いに異なる周波数特性を有する振動板２３ａ，２３ｂを有していることにより、高音域用の信号を上側のアクチュエータ１１に、低音域用の信号を下側のアクチュエータ１１に入力するなど、放音すべき音の音域に応じて、振動板２３ａ，２３ｂのいずれかを選択的に振動させたり、両振動板２３ａ，２３ｂを同時に振動させたりすることができる。それにより、全体の音量を大きくすることができるとともに、低音域から高音域の音をバランスよく放音することができる。
【００３５】
図８および９は、本発明の第３実施形態によるスピーカユニット３０を示している。このスピーカユニット３０は、基本的に、前述したスピーカユニット２，２０と近似した構成を有しており、以下、同じ構成要素については、スピーカユニット２，２０と同じ符号を付して説明する。
【００３６】
スピーカユニット３０は、スピーカ３１およびこれを内蔵したケース３２によって構成されている。ケース３２は、前述したケース３とほぼ同様に構成されており、左右の側板３３，３３、天板３４、底板３５、および背板３６などを有していて、ケース３よりも高さが小さい。
【００３７】
スピーカ３１の高音域用および低音域用の振動板２３ａ，２３ｂは、前述した第２実施形態のスピーカ２１の振動板２３ａ，２３ｂと同様に構成され、サイズも同じである一方、これらは前後方向に並んでいる。また、スピーカ３１は、振動板２３ａ，２３ｂを取り付けるための各２つの振動板取付け部９，３９と、振動板２３ａ，２３ｂにそれぞれ取り付けられたアクチュエータ１１，１１などを有している。
【００３８】
前側の低音域用の振動板２３ｂを取り付けるための振動板取付け部９，９は、天板３４および底板３５の内面の前部に固定され、振動板２３ｂは、上下の両端部において、それらの前面に取り付けられている。また、後側の高音域用の振動板２３ａを取り付けるための振動板取付け部３９，３９は、上下の振動板取付け部９，９の後方に所定の間隔を存し、天板３４および底板３５から上下約１／３の高さに配置され、左右の側板３３，３３間に固定されている。各振動板取付け部３９は、断面矩形で、第２実施形態の振動板取付け部９よりも奥行きが短く形成されており、振動板２３ａは、上下の両端部において、それらの前面に取り付けられている。また、図示しないが、前述した第１および第２実施形態と同様に、両振動版２３ａ，２３ｂの後面には、これらを押圧する振動板支持棒が設けられており、それにより、振動板２３ａ，２３ｂには、擬似ムクリが形成されている。
【００３９】
また、アクチュエータ１１，１１は、前述した第２実施形態と同様に、両振動板２３ａ，２３ｂの後面に取り付けられており、前述した理由により、両振動板２３ａ，２３ｂの上端から、各々の高さの１／６の位置に、それぞれ配置されている。また、スピーカユニット２，２０と同様に、振動板２３ａに化粧仕上げを施さない場合など、必要に応じて、例えばサランネット１５によって、スピーカユニット３０の前部を覆うこにより、スピーカユニット３０の外観が整えられる（図９参照）。
【００４０】
以上のようなスピーカ３１を含むスピーカユニット３０によれば、第２実施形態によるスピーカユニット２０による効果に加え、振動板２３ａ，２３ｂが前後方向に並ぶように配置されていることにより、振動板２３ａを振動板２３ｂの後方に配置した分、特に高さを小さくすることができ、スピーカユニット３０全体として、よりコンパクトに構成することができる。
【００４１】
図１０は、前述したスピーカユニット２と同じタイプのスピーカユニットを内蔵した電子ピアノ４０（電子鍵盤楽器）を示している。この電子ピアノ４０は、ピアノ本体４１と、このピアノ本体４１に設けられた鍵盤装置４２と、ピアノ本体４１に内蔵されたスピーカユニット２などを備えている。
【００４２】
鍵盤装置４２は、左右方向に並ぶ多数の鍵によって構成された鍵盤４２ａを有しており、各鍵ごとに設けられた鍵スイッチは、電子基板（ともに図示せず）などを介して、スピーカユニット２に接続されている。スピーカユニット２は、鍵盤装置４２の上方に配置されており、その振動板８が上側に位置し、左右方向に延びるとともに、振動板支持棒１０が前後方向に延びるように配置されている。また、スピーカユニット２は、ピアノ本体４１の左右方向のほぼ全体に延びており、それにより、振動板８は、鍵盤４２ａの低音域から高音域にわたって延びている。
【００４３】
このような構成によれば、鍵が押鍵されると、これに対応する鍵スイッチによって押鍵情報が検出され、検出された押鍵情報に応じて、電子基板によって発音信号が生成される。そして、この発音信号がスピーカユニット２に入力されることにより、発音信号のレベルや波形に応じて、アクチュエータ１１，１１が駆動されることによって振動板８が振動し、演奏音が放音される。
【００４４】
以上のような電子ピアノ４０によれば、スピーカ１が優れた周波数特性を有していることにより、その演奏音を、アコースティックなピアノの演奏音により近づけることができる。また、スピーカユニット２は非常に単純な構成を有していることにより、そのサイズや形状にある程度の自由度を有しているため、スピーカユニット２の形状およびサイズを、電子ピアノ４０のサイズや形状に合わせて設定でき、比較的容易に電子ピアノ４０に組み込むことができる。
【００４５】
図１１は、前述した電子ピアノ４０に内蔵されたスピーカユニット２の振動板８の第１変形例を示している。この変形例の振動板５０は、その右端部、すなわち鍵盤４１ａの高音域側に相当する部分の両面を覆うように、炭素繊維のシート５１，５１を貼り付けたものであり、それにより、シート５１を貼り付けたシート貼付け部５０ａと、貼り付けていないシート非貼付け部５０ｂに区分されている。これにより、振動板５０の周波数特性が、シート貼付け部５０ａとシート非貼付け部５０ｂの間で互いに異なるように設定されている。
【００４６】
また、この振動板５０にも、左右２つのアクチュエータ１１，１１が設けられている。具体的には、右側のアクチュエータ１１は、振動板５０の右端から、シート貼付け部５０ａの左右方向の長さの１／６左方の位置に、左側のアクチュエータ１１は、振動板５０の左端から、シート非貼り付け部５０ｂの左右方向の長さの１／６右方の位置に、それぞれ取り付けられている。
【００４７】
このような振動板５０を、スピーカユニット２の振動板８に代えて電子ピアノ４０に用いた場合、右側のアクチュエータ１１によって振動板５０を振動させたときは、シート貼付け部５０ａから放音される音の高音成分が大きくなる。それにより、この電子ピアノ４０では、特に金属的で澄んだ音を放音させることができ、高音域の音を強調した演奏音で演奏することができる。また、低中音域の鍵を押鍵したときには、低中音域に位置するシート非取付け部５０ｂを中心として、高音域の鍵を押鍵したときには、シート取付け部５０ａを中心として振動させることにより、アコースティックピアノに近似した低高音間の音響バランスを得ることができ、アコースティックピアノにより近い感覚で演奏することができる。
【００４８】
図１２は、スピーカユニット２の振動板の第２変形例を示している。この変形例の振動板５２は、グランドピアノの響板の形状に倣い、前後方向の長さが、高音域側に向かってテーパ状に形成されている。それにより、振動板５２の周波数特性は、低音域から高音域にわたって変化しており、したがって、この振動板５２を用いた電子ピアノ４０では、演奏音を、低音域から高音域にわたってバランスよく放音することができる。
【００４９】
なお、本発明は、上述した各実施形態に限定されることなく、種々の態様で実施することができる。例えば、振動板を振動させるアクチュエータの周波数特性、数および配置は、振動板の形状やサイズなどに応じて、また、複数の振動板が設けられている場合には、それらから放音される音の音響バランスに応じて、適宜、設定することができる。また、複数のアクチュエータを設ける場合、その周波数特性を互いに異ならせてもよく、それにより、振動板同士の共振を防止することができる。
【００５０】
また、前述した電子ピアノ４０は、そのピアノ本体４１にスピーカユニット２と同じタイプのものを組み込んだ例であるが、これに限定されることなく、第２および第３実施形態のスピーカユニット２０，３０のいずれかと同じタイプのものを組み込んでもよい。また、電子ピアノ４０は、１つのスピーカユニット２を鍵盤装置４２の上方に組み込んだ例であるが、これに限定されることなく、スピーカユニット２を例えば鍵盤装置４２の下方、または上下の双方に配置するようにしてもよい。その際には、各実施形態のスピーカユニットを組み合わせ、互いに異なるタイプの複数のスピーカユニットを組み込んでもよい。
【００５１】
また、振動板８の第２変形例の振動板５２では、その前後方向の長さをテーパ状に変化させることによって、鍵盤４２ａの低音域から高音域にわたって周波数特性を変化させているが、これに限定されることなく、例えば、厚さを変化させることによって、周波数特性を変化させてもよい。さらに、実施形態では、本発明によるスピーカを、電子ピアノに組み込んだ例を説明したが、他のタイプの電子楽器や音声再生装置などに組み込んで用いてもよいことはもちろんである。その他、細部の構成を、本発明の趣旨の範囲内で適宜、変更することが可能である。
【図面の簡単な説明】
【００５２】
【図１】本発明の第１実施形態によるスピーカを含むスピーカユニットを示す斜視図である。
【図２】図１のスピーカユニットの正面図である。
【図３】図２の線Ａ−Ａに沿う断面図である。
【図４】図３の振動板支持棒の変形例を示す部分拡大図である。
【図５】図１のスピーカにおいて、ａはアクチュエータ、ｂは振動板の周波数特性をそれぞれ示す図である。
【図６】本発明の第２実施形態によるスピーカを含むスピーカユニットを示す正面図である。
【図７】図６の線Ｂ−Ｂに沿う断面図である。
【図８】本発明の第３実施形態によるスピーカを含むスピーカユニットを示す正面図である。
【図９】図８の線Ｃ−Ｃに沿う断面図である。
【図１０】図１のスピーカユニットを内蔵した電子ピアノを示す斜視図である。
【図１１】図１０のスピーカの振動板の第１変形例であり、（ａ）平面図および（ｂ）側面図を、アクチュエータとともに示している。
【図１２】図１０のスピーカの振動板の第２変形例を、アクチュエータとともに示す平面図である。
【符号の説明】
【００５３】
１    スピーカ
８    振動板
９    振動板取付け部
１０    振動板支持棒（押圧部）
１１    電磁式アクチュエータ（振動子）
１２    振動板支持棒（押圧部）
２１    スピーカ
２３ａ  振動板
２３ｂ  振動板
３１    スピーカ
３９    振動板取付け部
４０    電子ピアノ（電子楽器）
４２    鍵盤装置
５０    振動板
５２    振動板
【図１】
2005347964.tif 000003
【図２】
2005347964.tif 000004
【図３】
2005347964.tif 000005
【図４】
2005347964.tif 000006
【図５】
2005347964.tif 000007
【図６】
2005347964.tif 000008
【図７】
2005347964.tif 000009
【図８】
2005347964.tif 000010
【図９】
2005347964.tif 000011
【図１０】
2005347964.tif 000012
【図１１】
2005347964.tif 000013
【図１２】
2005347964.tif 000014